(57)【要約】【課題】本発明は、エネルギー消費量が多かったり、少なかったりした原因を簡単につきとめることができるエネルギー消費量の表示装置を提供する。【解決手段】エネルギー消費量を長期単位で時系列的に表示する長期表示部としての電力消費量の日別表示部２１１Ａ及び水及びガスの消費量の日別表示部２１１Ｂと、エネルギー消費量を短期単位で時系列的に表示する短期表示部としての電力消費量の時間別表示部２１２Ａ及び水及びガスの消費量の時間別表示部２１２Ｂとを備え、日別表示部２１１Ａの任意の表示位置としての日付ボタン２１１ａをクリックして指定すると、その指定された日付の詳細が、日別表示部２１１Ａ，２１１Ｂと同一画面に時間別表示部２１２Ａ，２１２Ｂとして表示される構成とされている。【選択図】図３
2011180807.tif 000002
【特許請求の範囲】
【請求項１】
建物に関係するエネルギー消費量を監視対象として表示可能なエネルギー消費量の表示装置であって、
エネルギー消費量を長期単位で時系列的に表示する長期表示部と、エネルギー消費量を短期単位で時系列的に表示する短期表示部とを備え、
前記長期表示部の任意の表示位置を指定すると、その指定された表示位置の詳細が、前記長期表示部と同一画面に前記短期表示部として表示されることを特徴とするエネルギー消費量の表示装置。
【請求項２】
前記短期表示部と同一画面に、該短期表示部のエネルギー消費量の時系列的表示に合わせて、用途別のエネルギー消費量が用途別表示部に表示されることを特徴とする請求項１に記載のエネルギー消費量の表示装置。
【請求項３】
前記用途別表示部の任意の用途表示位置を指定すると、前記用途別表示部と同一画面に、その指定された用途をさらに細分化した設備別のエネルギー消費量が設備別表示部に表示されることを特徴とする請求項２に記載のエネルギー消費量の表示装置。
【請求項４】
前記短期表示部と同一画面に、該短期表示部のエネルギー消費量の時系列的表示に合わせて、設備別のエネルギー消費量が設備別表示部に表示されることを特徴とする請求項１又は２に記載のエネルギー消費量の表示装置。
【請求項５】
前記長期表示部には、過去の所定期間のエネルギー消費量に基づいて算出されたエネルギー消費量の平均値が表示されることを特徴とする請求項１乃至４のいずれか１項に記載のエネルギー消費量の表示装置。
【請求項６】
前記長期表示部には、エネルギー消費量の目標値が表示されることを特徴とする請求項１乃至５のいずれか１項に記載のエネルギー消費量の表示装置。
【請求項７】
前記短期表示部には、該短期表示部のエネルギー消費量の時系列的表示に並列して、過去の所定期間のエネルギー消費量に基づいて算出されたエネルギー消費量の平均値が表示されることを特徴とする請求項１乃至６のいずれか１項に記載のエネルギー消費量の表示装置。
【請求項８】
前記用途別表示部をさらに細分化した設備別のエネルギー消費量が表示される設備別表示部が、設備別表示切替手段により、切り替え表示されることを特徴とする請求項２に記載のエネルギー消費量の表示装置。
【請求項９】
前記長期表示部又は前記短期表示部は、エネルギーの料金単価毎で区分けして目視可能とされていることを特徴とする請求項１乃至８のいずれか１項に記載のエネルギー消費量の表示装置。
【請求項１０】
前記用途別表示部は、エネルギーの料金単価毎で区分けして目視可能とされていることを特徴とする請求項２，３又は８に記載のエネルギー消費量の表示装置。
【請求項１１】
前記設備別表示部は、エネルギーの料金単価毎で区分けして目視可能とされていることを特徴とする請求項３，４又は８に記載のエネルギー消費量の表示装置。
【請求項１２】
エネルギー消費量が、前記長期表示部よりもさらに長期単位での総量の用途別の内訳が表示されるエネルギー消費量用途別内訳表示部を備えていることを特徴とする請求項１乃至１１のいずれか１項に記載のエネルギー消費量の表示装置。
【請求項１３】
前記長期表示部又は前記短期表示部に、エネルギー創出量が、エネルギー消費量と並列して表示されることを特徴とする請求項１乃至１２のいずれか１項に記載のエネルギー消費量の表示装置。
【請求項１４】
エネルギー創出量が、前記長期表示部よりもさらに長期単位での総量の利用別の内訳が表示されるエネルギー創出量利用別内訳表示部を備えていることを特徴とする請求項１３に記載のエネルギー消費量の表示装置。
【請求項１５】
前記長期表示部及び前記短期表示部と同一画面に、エネルギー蓄積量が表示されることを特徴とする請求項１乃至１４のいずれか１項に記載のエネルギー消費量の表示装置。
【請求項１６】
エネルギー消費量が、前記長期表示部よりもさらに長期単位での総量の料金単価別の内訳が表示されるエネルギー消費量料金単価別内訳表示部を備えていることを特徴とする請求項１乃至１５のいずれか１項に記載のエネルギー消費量の表示装置。
【請求項１７】
前記エネルギー消費量は、電力消費量、水消費量及びガス消費量の少なくとも一つであることを特徴とする請求項１乃至１６のいずれか１項に記載のエネルギー消費量の表示装置。
【請求項１８】
前記エネルギー消費量をエネルギーの料金に換算して表示する料金換算表示切替手段を備えていることを特徴とする請求項１乃至１７のいずれか１項に記載のエネルギー消費量の表示装置。
【請求項１９】
前記長期表示部は、日別表示部で、前記表示位置は日付位置であり、前記短期表示部は、時間別表示部であることを特徴とする請求項１乃至１８のいずれか１項に記載のエネルギー消費量の表示装置。
【請求項２０】
リアルタイムのエネルギー消費量の表示部を備えていることを特徴とする請求項１乃至１９のいずれか１項に記載のエネルギー消費量の表示装置。
【請求項２１】
リアルタイムのエネルギー創出量の表示部を備えていることを特徴とする請求項１乃至２０のいずれか１項に記載のエネルギー消費量の表示装置。
【請求項２２】
前記エネルギー消費量を二酸化炭素の排出量に換算して表示する二酸化炭素排出量表示切替手段を備えていることを特徴とする請求項１乃至２１のいずれか１項に記載のエネルギー消費量の表示装置。
【請求項２３】
請求項１乃至２２のいずれか１項に記載のエネルギー消費量の表示装置を備えていることを特徴とするエネルギー消費量の管理システム。
【発明の詳細な説明】
【技術分野】
【０００１】
本発明は、建物内のエネルギー消費量を監視対象として表示可能なエネルギー消費量の表示装置、及びこの表示装置を備えたエネルギー消費量の管理システムに関するものである。
【背景技術】
【０００２】
近年、国家・自治体レベルや企業レベルにとどまらず、家庭レベルにおいても省エネルギーの意識が高まりつつある。
【０００３】
こうしたことから、監視対象としての電気、ガス、水などのエネルギー消費量を表示可能なエネルギー消費量の表示装置を備えたエネルギー消費量の管理システムが従来から提案されている（特許文献１などを参照）。
【先行技術文献】
【特許文献】
【０００４】
【特許文献１】特開２００９−７４９６６号公報
【発明の概要】
【発明が解決しようとする課題】
【０００５】
しかしながら、特許文献１のような従来のエネルギー消費量の表示装置では、月別、日別、時間別、用途別などの表示を、切り替えて別々に表示するものであったため、エネルギー消費量が多かったり、少なかったりした原因を簡単につきとめることが困難であった。
【０００６】
そこで、本発明は、エネルギー消費量が多かったり、少なかったりした原因を簡単につきとめることができるエネルギー消費量の表示装置、及びこの表示装置を備えたエネルギー消費量の管理システムを提供することを目的としている。
【課題を解決するための手段】
【０００７】
前記目的を達成するために、本発明のエネルギー消費量の表示装置は、建物に関係するエネルギー消費量を監視対象として表示可能なエネルギー消費量の表示装置であって、エネルギー消費量を長期単位で時系列的に表示する長期表示部と、エネルギー消費量を短期単位で時系列的に表示する短期表示部とを備え、前記長期表示部の任意の表示位置を指定すると、その指定された表示位置の詳細が、前記長期表示部と同一画面に前記短期表示部として表示されることを特徴とする。
【０００８】
ここで、前記短期表示部と同一画面に、該短期表示部のエネルギー消費量の時系列的表示に合わせて、用途別のエネルギー消費量が用途別表示部に表示されるとよい。
【０００９】
また、前記用途別表示部の任意の用途表示位置を指定すると、前記用途別表示部と同一画面に、その指定された用途をさらに細分化した設備別のエネルギー消費量が設備別表示部に表示されてもよい。
【００１０】
また、前記短期表示部と同一画面に、該短期表示部のエネルギー消費量の時系列的表示に合わせて、設備別のエネルギー消費量が設備別表示部に表示されてもよい。
【００１１】
また、前記長期表示部には、過去の所定期間のエネルギー消費量に基づいて算出されたエネルギー消費量の平均値が表示されるとよい。
【００１２】
さらに、前記長期表示部には、エネルギー消費量の目標値が表示されるとよい。
【００１３】
また、前記短期表示部には、該短期表示部のエネルギー消費量の時系列的表示に並列して、過去の所定期間のエネルギー消費量に基づいて算出されたエネルギー消費量の平均値が表示されるとよい。
【００１４】
さらに、前記用途別表示部をさらに細分化した設備別のエネルギー消費量が表示される設備別表示部が、設備別表示切替手段により、切り替え表示されるとよい。
【００１５】
また、前記長期表示部又は前記短期表示部は、エネルギーの料金単価毎で区分けして目視可能とされているとよい。
【００１６】
さらに、前記用途別表示部は、エネルギーの料金単価毎で区分けして目視可能とされているとよい。
【００１７】
また、前記設備別表示部は、エネルギーの料金単価毎で区分けして目視可能とされているとよい。
【００１８】
さらに、エネルギー消費量が、前記長期表示部よりもさらに長期単位での総量の用途別の内訳が表示されるエネルギー消費量用途別内訳表示部を備えているとよい。
【００１９】
また、前記長期表示部又は前記短期表示部に、エネルギー創出量が、エネルギー消費量と並列して表示されるとよい。
【００２０】
さらに、エネルギー創出量が、前記長期表示部よりもさらに長期単位での総量の利用別の内訳が表示されるエネルギー創出量利用別内訳表示部を備えているとよい。
【００２１】
また、前記長期表示部及び前記短期表示部と同一画面に、エネルギー蓄積量が表示されてもよい。
【００２２】
また、エネルギー消費量が、前記長期表示部よりもさらに長期単位での総量の料金単価別の内訳が表示されるエネルギー消費量料金単価別内訳表示部を備えているとよい。
【００２３】
さらに、前記エネルギー消費量は、電力消費量、水消費量及びガス消費量の少なくとも一つであるとよい。
【００２４】
また、前記エネルギー消費量をエネルギーの料金に換算して表示する料金換算表示切替手段を備えているとよい。
【００２５】
さらに、前記長期表示部は、日別表示部で、前記表示位置は日付位置であり、前記短期表示部は、時間別表示部であるとよい。
【００２６】
また、リアルタイムのエネルギー消費量の表示部を備えているとよい。
【００２７】
さらに、リアルタイムのエネルギー創出量の表示部を備えているとよい。
【００２８】
また、前記エネルギー消費量を二酸化炭素の排出量に換算して表示する二酸化炭素排出量表示切替手段を備えているとよい。
【００２９】
本発明のエネルギー消費量の管理システムは、上記したエネルギー消費量の表示装置を備えていることを特徴とする。
【発明の効果】
【００３０】
このような本発明のエネルギー消費量の表示装置は、建物に関係するエネルギー消費量を監視対象として表示可能なエネルギー消費量の表示装置である。
【００３１】
そして、エネルギー消費量を長期単位で時系列的に表示する長期表示部と、エネルギー消費量を短期単位で時系列的に表示する短期表示部とを備えている。
【００３２】
そのうえで、長期表示部の任意の表示位置を指定すると、その指定された表示位置の詳細が、長期表示部と同一画面に下位表示部として表示される構成とされている。
【００３３】
こうした構成なので、例えば、長期表示部の下側に、短期表示部を表示するようにすると、同一画面で、エネルギー消費量が多かったり、少なかったりした表示箇所を長期表示部から短期表示部への上下の流れで、一目で簡単に特定することができる。
【００３４】
ここで、短期表示部と同一画面に、短期表示部のエネルギー消費量の時系列的表示に合わせて、用途別のエネルギー消費量が用途別表示部に表示される場合は、例えば、短期表示部の下側に用途別表示部を表示するようにすると、同一画面で、特定した表示箇所からエネルギー消費量が多かったり、少なかったりした原因である用途を、上下の流れで、一目で簡単につきとめることができる。
【００３５】
また、用途別表示部の任意の用途表示位置を指定すると、用途別表示部と同一画面に、その指定された用途をさらに細分化した設備別のエネルギー消費量が設備別表示部に表示される場合は、エネルギー消費量が多かったり、少なかったりした原因を設備単位でつきとめることができる。この際、表示される画面が足りないときは、例えば、画面をスクロールさせて表示させるようにすればよい。
【００３６】
また、短期表示部と同一画面に、短期表示部のエネルギー消費量の時系列的表示に合わせて、設備別のエネルギー消費量が設備別表示部に表示される場合は、同一画面で、エネルギー消費量が多かったり、少なかったりした原因を設備単位でつきとめることができる。
【００３７】
また、長期表示部には、過去の所定期間のエネルギー消費量に基づいて算出されたエネルギー消費量の平均値が表示される場合は、この平均値を指標として、エネルギーを使い過ぎであるか否かを一目で判断することができる。
【００３８】
さらに、長期表示部には、エネルギー消費量の目標値が表示される場合は、この目標値を指標として、エネルギー消費量の目標を達成できたか否かを一目で判断することができる。
【００３９】
また、短期表示部には、短期表示部のエネルギー消費量の時系列的表示に並列して、過去の所定期間のエネルギー消費量に基づいて算出されたエネルギー消費量の平均値が表示される場合は、この平均値を指標として、短期表示部においても、エネルギーを使い過ぎであるか否かを一目で判断することができる。
【００４０】
さらに、用途別表示部をさらに細分化した設備別のエネルギー消費量が表示される設備別表示部が、設備別表示切替手段により、切り替え表示される場合は、エネルギー消費量が多かったり、少なかったりした原因を設備単位でつきとめることができる。
【００４１】
また、長期表示部又は短期表示部は、エネルギーの料金単価毎で区分けして目視可能とされている場合は、料金単価別の区分けから買い取るエネルギーを、長期又は短期で、時間的にバランスよく利用しているかが分かる。
【００４２】
さらに、用途別表示部は、エネルギーの料金単価毎で区分けして目視可能とされている場合は、料金単価別の区分けから買い取るエネルギーを、用途別で、時間的にバランスよく利用しているかが分かる。
【００４３】
また、設備別表示部は、エネルギーの料金単価毎で区分けして目視可能とされている場合は、料金単価別の区分けから買い取るエネルギーを、設備別で、時間的にバランスよく利用しているかが分かる。
【００４４】
さらに、エネルギー消費量が、長期表示部よりもさらに長期単位での総量の用途別の内訳が表示されるエネルギー消費量用途別内訳表示部を備えている場合は、エネルギー消費量の用途別の内訳から、生活パターンの大まかな傾向を知ることができ、工夫や改善の対策を図ることができる。
【００４５】
また、長期表示部又は短期表示部に、エネルギー創出量が、エネルギー消費量と並列して表示される場合は、エネルギー創出量から天気の推移などもおおよそ分かる。
【００４６】
さらに、エネルギー創出量が、長期表示部よりもさらに長期単位での総量の利用別の内訳が表示されるエネルギー創出量利用別内訳表示部を備えている場合は、利用別の内訳から創出したエネルギーをバランスよく利用しているかが分かる。
【００４７】
また、長期表示部及び短期表示部と同一画面に、エネルギー蓄積量が表示される場合は、建物が蓄電池、貯湯設備、電気自動車、又はプラグインハイブリッド車などのエネルギー蓄積手段を有するときに、蓄積したエネルギーをバランスよく利用しているかが分かる。
【００４８】
また、エネルギー消費量が、長期表示部よりもさらに長期単位での総量の料金単価別の内訳が表示されるエネルギー消費量料金単価別内訳表示部を備えている場合は、料金単価別の内訳から買い取るエネルギーを、全体で、時間的にバランスよく利用しているかが分かる。
【００４９】
さらに、エネルギー消費量は、電力消費量、水消費量及びガス消費量の少なくとも一つである場合は、様々な種類のエネルギー消費量を対象とすることができる。
【００５０】
また、エネルギー消費量をエネルギーの料金に換算して表示する料金換算表示切替手段を備えている場合は、料金で表示された方が、より分かりやすいうえに、省エネルギーの意識をより高めることができる。
【００５１】
さらに、長期表示部は、日別表示部で、表示位置は日付位置であり、短期表示部は、時間別表示部である場合は、エネルギー消費量を監視するうえで、実用性に即している。
【００５２】
また、リアルタイムのエネルギー消費量の表示部を備えている場合は、過去のエネルギー消費量を監視しながら、現在のエネルギー消費量も監視することができる。
【００５３】
さらに、リアルタイムのエネルギー創出量の表示部を備えている場合は、過去のエネルギー創出量を監視しながら、現在のエネルギー創出量も監視することができる。
【００５４】
また、エネルギー消費量を二酸化炭素の排出量に換算して表示する二酸化炭素排出量表示切替手段を備えている場合は、二酸化炭素の排出量を極力抑制し、環境に配慮することができる。
【００５５】
このような本発明のエネルギー消費量の管理システムは、上記したエネルギー消費量の表示装置を備えた構成とされているので、上記した効果を奏するエネルギー消費量の管理システムを構築することができる。
【図面の簡単な説明】
【００５６】
【図１】実施例のエネルギー消費量の管理システムを備えた建物の概略構成を示したブロック図である。
【図２】実施例の表示モニタのトップ画面の初期状態を示す説明図である。
【図３】実施例の表示モニタのトップ画面の日付ボタンをクリックした後の状態を示す説明図である。
【図４】実施例の表示モニタの分析画面の初期状態を示す説明図である。
【図５】実施例の表示モニタの分析画面の表示用ボタンをクリックした後の状態を示す説明図である。
【図６】実施例の表示モニタのトップ画面の料金割合切替ボタンをクリックした後の状態を示す説明図である。
【発明を実施するための形態】
【００５７】
以下、本発明を実施するための形態を、図面に示す実施例に基づいて説明する。
【実施例】
【００５８】
先ず、実施例の構成について説明する。
【００５９】
図１は、実施例のエネルギー消費量の管理システムを備えた建物の概略構成を示したブロック図である。
【００６０】
この実施例の建物としての住宅Ｈは、エネルギー消費量計測手段としての計測センサ１１、分電盤計測装置１２、及びガス・水道計測装置１４と、エネルギー消費量の表示装置としての表示モニタ２を備えている。
【００６１】
まず、図１を参照しながら、住宅Ｈ内の詳細について説明すると、この住宅Ｈは、電力会社の発電所や地域毎に設置されたコジェネレーション設備などの系統電力から電力の供給を受けるための電力網としての系統電力網Ｅに接続されている。
【００６２】
この系統電力網Ｅと住宅Ｈに配線された主幹１２０ａとは、電力量メータＥ１を介して繋がっており、主幹１２０ａは分電盤１２０に繋がっている。そして、この電力量メータＥ１によって、系統電力網Ｅと住宅Ｈとの間に流れる電力量が計測される。
【００６３】
また、住宅Ｈは、ガスや水などの電気以外のエネルギーの供給を受けるための系統インフラ網Ｇにも接続されている。すなわち、系統インフラ網Ｇのガス管や水道管を通って住宅Ｈにガスや水が供給され、供給されるガス量と水量は、ガス・水道メータＧ１によって計測される。
【００６４】
なお、ここでは説明を簡略化するためにまとめて図示しているが、ガスと水は別系統で供給され、ガスメータと水道メータはそれぞれ別個に設置されている。
【００６５】
そして、この実施例のエネルギー消費量の管理システムは、住宅Ｈにおける電気、ガス、水などのエネルギーの消費量を表示装置としての表示モニタ２によって、監視することができるシステムである。
【００６６】
また、この住宅Ｈは、発電装置としての太陽光発電装置５を備えている。
【００６７】
この太陽光発電装置５は、太陽エネルギーとしての太陽光を、太陽電池を利用することによって、直接、電力に変換して発電をおこなう装置である。この太陽光発電装置５は、太陽光を受けることができる時間帯にのみ電力を供給することが可能な装置である。
【００６８】
また、太陽光発電装置５によって発電された直流電力は、パワーコンディショナ５１によって交流電力に変換されて分電盤１２０に入力される。
【００６９】
また、住宅Ｈには、様々なエネルギー負荷設備７Ａ〜７Ｅが設置されている。例えば、エアコンなどの空調装置７Ａ、照明スタンドやシーリングライトなどの照明装置７Ｂ、並びに冷蔵庫やテレビなどの家電装置７Ｃなどの電力によって稼働する電力負荷装置がある。
【００７０】
さらに、ガスコンロなどの調理負荷７Ｄ及びガスでお湯を作る給湯負荷７Ｅは、ガスを消費するガス負荷装置になる。
【００７１】
また、給湯負荷７Ｅは、水を消費する水負荷装置でもある。さらに、水道の蛇口、トイレなども水負荷装置になる。
【００７２】
なお、図示は省略したが、調理負荷の一部はＩＨクッキングヒータなどの電力負荷装置であり、給湯負荷の一部も、電気湯沸し機などの電力負荷装置とされている。
【００７３】
そして、これらの電力負荷装置７Ａ〜７Ｃなどの電力消費量を計測するためにエネルギー消費量計測手段としての計測センサ１１を取り付ける。
【００７４】
この計測センサ１１には、住宅Ｈの壁などに設けられた電源コンセントに差し込む形態のもの、天井に取り付けられるシーリングライトやペンダントライトなどのシーリングに差し込む形態のものなどが好適に使用される。
【００７５】
また、計測センサ１１は、住宅Ｈ内のすべての電力負荷となる装置に取り付けることもできるが、空調設備や冷蔵庫など電力消費量の大きな装置など、特定の電力負荷装置にだけ取り付けてもよい。
【００７６】
また、分電盤１２０には、エネルギー消費量計測手段としての分電盤計測装置１２を接続する。この分電盤１２０には、入力側として主幹１２０ａと補助配線１２０ｃとが接続されており、出力側の分岐回路として複数の分岐幹１２０ｂが接続されている。
【００７７】
そして、主幹１２０ａを通って系統電力網Ｅからの電力が分電盤１２０に入力される。なお、太陽光発電装置５によって発電された電力を売る場合は、逆潮流として主幹１２０ａを通って系統電力網Ｅに発電された電力が送られることになる。
【００７８】
また、補助配線１２０ｃからは、太陽光発電装置５で発電された電力が分電盤１２０に入力される。
【００７９】
この分電盤計測装置１２は、図示は省略したが、主幹１２０ａの電力量を計測する外部側の計測器と、分岐幹１２０ｂ，・・・の数に合わせて設置される出力側の計測器と、補助配線１２０ｃの電力量をそれぞれ計測する計測器とを備えている。
【００８０】
そして、計測センサ１１，・・・及び分電盤計測装置１２によって計測された計測値は、無線又は有線の住宅Ｈ内の通信手段を介して集計管理装置１３に送信される。
【００８１】
この集計管理装置１３は、データの送受信をおこなう通信部と、受信した計測値などのデータを記録させるデータ蓄積部などを備えている。このデータ蓄積部には、ＲＡＭ(Random Access Memory)、ハードディスク、光ディスクなどの記憶装置が好適に使用される。
【００８２】
また、データ蓄積部に記録させる計測値のデータは、計測日時が後から特定できるように、予め設定された一定間隔で保存させるか、又は計測センサ１１で計測した時刻、計測センサ１１が送信をおこなった時刻若しくは集計管理装置１３が受信した時刻などを時刻歴として付加して一緒に保存させる。
【００８３】
また、住宅Ｈのガス及び水の消費量は、ガス・水道計測装置１４によって計測される。このガス・水道計測装置１４は、ガスメータＧ１又はガスメータとは別にガス管に接続されたガス用メータと接続される。このガス用メータには、ガス使用量に応じて発生するパルスカウントを計測する計測器が取り付けられている。
【００８４】
さらに、ガス・水道計測装置１４は、水道メータＧ１又はそれとは別に水道管に接続された水道用メータと接続される。この水道用メータには、水使用量に応じて発生するパルスカウントを計測する計測器が取り付けられている。
【００８５】
そして、ガス・水道計測装置１４で計測された計測値は、無線又は有線の住宅Ｈ内の通信手段を介して集計管理装置１３に送信される。
【００８６】
また、住宅Ｈの外部の外気温、湿度、日射量及び風速などの外部状態を計測するための外部観測計８１が設置されている。
【００８７】
この外部観測計８１は、風向及び風速を計測する風向風速センサ、日射量を計測する照度センサ及び温湿度センサなどによって構成される。また、この外部観測計８１の出力は、環境計測装置８によってデジタル値に変換されて、無線又は有線の通信手段を介して集計管理装置１３に送信される。
【００８８】
なお、このような外部状態の計測値は、住宅Ｈで直接計測するのではなく、気象庁などから提供される周辺地域の気象データを取得して利用してもよい。
【００８９】
また、この集計管理装置１３は、図１に示すように、ルータ１３ａ及びゲートウェイ１３ｂから成る中継器Ｒを介して外部通信網としてのインターネットＮに繋がっている。
【００９０】
そして、同じくインターネットＮに接続された外部の管理サーバ３との間で、計測値や統計値などのデータの送受信や制御信号の送受信などをおこなうことができる。
【００９１】
例えば、集計管理装置１３のデータ蓄積部に記憶された計測値のデータは、時間単位、日単位又は月単位など設定された間隔毎に管理サーバ３に送信され、管理サーバ３では受信したデータに基づいて各種分析をおこなう。
【００９２】
また、所定の間隔又は更新情報が生成されたときなどは、管理サーバ３から設定値や管理値や更新プログラムなどの各種信号を集計管理装置１３に送信することもできる。
【００９３】
また、住宅Ｈ内のルータ１３ａに接続された表示装置としての表示モニタ２は、集計管理装置１３と無線又は有線の住宅Ｈ内の通信手段を介してデータの送受信をおこなうことができる構成となっている。
【００９４】
そして、この表示モニタ２に、集計管理装置１３のデータ蓄積部に記録された計測値、管理サーバ３に蓄積された計測値、それらの計測値に基づく演算値、エネルギー消費量の評価をおこなうために統計処理された統計値などが表示される。
【００９５】
なお、管理サーバ３には、住宅Ｈと同様なエネルギー消費量の管理システムを備えた住宅が複数接続されている。
【００９６】
次に、実施例のエネルギー消費量の表示装置としての表示モニタ２について具体的に説明する。
【００９７】
この実施例では、表示モニタ２として、パーソナルコンピュータのディスプレイを用いている。なお、表示モニタ２を機能させるための記憶部や画像処理部などは、パーソナルコンピュータの本体に設けられている。
【００９８】
図２〜図６は、この実施例の表示モニタ２における画面表示を示している。
【００９９】
まず、表示モニタ２の電源をオンにすると、図２に示したように、画面の左上には、閲覧当日の日付が表示され、その右側には、その月の閲覧当日までの電気料金、ガス料金、水道料金が表示され、さらにその右側には、その月の閲覧当日までの売電料金が表示される。
【０１００】
そして、画面中央いっぱいには、ダッシュボード（dashboard）タブ２１のトップ画面が表示される。
【０１０１】
このトップ画面の最上段には、閲覧当日における、リアルタイムの太陽光発電装置５による発電量を表示する表示部２１ａと、リアルタイムの電気消費量を表示する表示部２１ｂと、発電量と電気消費量との差分量が表示される表示部２１ｃとを備えている。
【０１０２】
その直下には、閲覧当日における、リアルタイムの発電量の総量を表示する表示部２１ｄと、リアルタイムの電気消費量の総量を表示する表示部２１ｅと、リアルタイムの発電量の総量を表示する表示部２１ｆとを備えている。
【０１０３】
また、これらの右側の表示部２１ｇ，２１ｈ，２１ｉには、例えば閲覧当日から設定した過去２週間や過去３０日間などの売電金額、買電金額及びその差額がそれぞれ表示される。
【０１０４】
そして、その下のメイン画面には、まず、閲覧当日から過去２週間のエネルギー消費量が時系列的に日別で表示される長期表示部としての日別表示部２１１を備えている。
【０１０５】
この日別表示部２１１の上段には、電力消費量の日別表示部２１１Ａが設けられており、表示位置としての日付ボタン２１１ａ，・・・の上の右側に電気消費量が棒グラフで表示される。
【０１０６】
また、その左側には太陽光発電装置５による発電量が棒グラフで表示される。
【０１０７】
ここで、これらの棒グラフは、色により区分けされ、例えば、発電量は黄色、２３時から６時までの深夜電力は紺色、７時から１０時までと１７時から２２時までの朝晩電力は青色、１１時から１６時までの昼間電力は薄水色のように、目視可能とされる。
【０１０８】
すなわち、電力会社の料金体系や契約などにより異なるが、一般に、深夜電力が一番電力エネルギーの料金単価が安く、朝晩電力がこれに次いで安く、昼間電力が一番高いので、生活パターンを見直して、節電をするための目安となる。
【０１０９】
また、電力消費量の日別表示部２１１Ａには、過去の例えば２週間や３０日間などの所定期間の日別の電力消費量に基づいて算出された電気消費量の平均値としてのアベレージラインＡＬが表示される。
【０１１０】
このアベレージラインＡＬは、これを超えて電気エネルギーを消費しているときは、普段よりも使い過ぎであったと判断し、これを超えずに電気エネルギーを消費しているときは、普段よりも節電できたと判断する際の指標となる。
【０１１１】
さらに、電力消費量の日別表示部２１１Ａには、目標値としてのターゲットラインＴＬも表示される。
【０１１２】
このターゲットラインＴＬは、文字通り、目標とするものであり、これを超えて電気エネルギーを消費しているときは、目標を達成できなかったと判断し、これを超えずに電気エネルギーを消費しているときは、目標を達成できたと判断する際の指標となる。
【０１１３】
ここで、このターゲットラインＴＬの設定としては、例えば、現在のアベレージラインＡＬの−１０％としたり、管理サーバ３に接続された断熱性能に関する情報、使用者に関する情報、地域情報、使用形態に関する情報、太陽光発電装置に関連する情報及び設備情報などの属性情報が同一又は類似の住宅の電力消費量のうち、優秀なものを採用したりすることができる。
【０１１４】
なお、このターゲットラインＴＬの設定は、セッティング（settings）タブ２３の設定画面上で行うが、詳細については省略する。
【０１１５】
また、この日別表示部２１１の下段には、水及びガスの消費量の日別表示部２１１Ｂが設けられており、表示位置としての日付の上の右側に水消費量が水色の棒グラフで表示され、左側にガス消費量が橙色の棒グラフで表示される。
【０１１６】
なお、この日別表示部２１１は、スクロールアイコンＳ１をスクロールさせることにより、所望の日付まで移動させることができる。
【０１１７】
さらに、この日別表示部２１１の右側には、さらに長期単位の１ヶ月分の円グラフから成るエネルギー創出量利用別内訳表示部としての発電量利用別内訳表示部２１Ａを備えており、売電は緑色、自家消費は黄緑色で表示して、発電した電力がどのような割合で売電したり、自家消費したりしているかの内訳が分かるようになっている。
【０１１８】
また、この発電量利用別内訳表示部２１Ａの下側には、１ヶ月分の円グラフから成るエネルギー消費量料金単価別内訳表示部としての電力消費時間帯別内訳表示部２１Ｂを備えており、電力消費量の日別表示部２１１Ａの電気消費量の棒グラフと同様に、２３時から６時までの深夜電力は紺色、７時から１０時までと１７時から２２時までの朝晩電力は青色、１１時から１６時までの昼間電力は薄水色で表示して、電気エネルギーの利用時間帯、すなわち、大まかな料金単位の内訳が分かるようになっている。
【０１１９】
なお、より正確な料金単位を把握するには、特に薄水色の昼間電力の部分と発電量利用別内訳表示部２１Ａとを合わせて参照すればよい。
【０１２０】
さらに、この電力消費時間帯別内訳表示部２１Ｂの下側には、１ヶ月分の円グラフから成るエネルギー消費量用途別内訳表示部としての電力消費量用途別内訳表示部２１Ｃを備えており、空調器具は青色、照明器具は黄色、調理機器は橙色、その他は灰色で表示して、大まかな用途別の内訳が分かるようになっている。
【０１２１】
次に、電力消費量の日別表示部２１１Ａのうち、例えば、９月８日のように、発電量が多いにもかかわらず、電力消費量が、ターゲットラインＴＬだけでなく、アベレージラインＡＬをも超えており、水消費量とガス消費量についても、他の日付に比べて多く、気になる場合がある。
【０１２２】
この場合、表示位置としての９月８日の日付ボタン２１１ａをクリックすると、図３に示したように、日別表示部２１１の下側に、９月８日の０時から２３時の電力消費量の短期表示部としての時間別表示部２１２Ａが表示される。
【０１２３】
ここで、この電力消費量の時間別表示部２１２Ａも、日別表示部２１１Ａと同様、各時間の上に、色により区分された棒グラフで表示され、これらの棒グラフは、発電量は黄色、２３時から６時までの深夜電力は紺色、７時から１０時までと１７時から２２時までの朝晩電力は青色、１１時から１６時までの昼間電力は薄水色のように、目視可能とされる。
【０１２４】
さらに、この電力消費量の時間別表示部２１２Ａにおける各時間の電力消費量の棒グラフの右側には、白抜きの棒グラフで、過去の例えば２週間や３０日間などの所定期間の対応する時間別の電力消費量に基づいて算出された電気消費量の平均値が表示され、使い過ぎであるか否かを判断する際の指標となる。
【０１２５】
同時に、時間別表示部２１２Ａの下側に、この時間別表示部２１２Ａの時系列としての時間に合わせて、空調器具、照明器具、調理機器、その他として、用途別の電力消費量の用途別表示部２１３も表示される。
【０１２６】
ここで、この電力消費量の用途別表示部２１３も、日別表示部２１１Ａ及び時間別表示部２１２Ａと同様、各時間の上に、色により区分された棒グラフで表示され、これらの棒グラフは、２３時から６時までの深夜電力は紺色、７時から１０時までと１７時から２２時までの朝晩電力は青色、１１時から１６時までの昼間電力は薄水色のように、目視可能とされる。
【０１２７】
さらに、この電力消費量の用途別表示部２１３においても、時間別表示部２１２Ａと同様、各時間の電力消費量の棒グラフの右側には、白抜きの棒グラフで、過去の例えば２週間や３０日間などの所定期間の対応する時間別の電力消費量に基づいて算出された電気消費量の平均値が表示され、使い過ぎであるか否かを判断する際の指標となる。
【０１２８】
また、この用途別表示部２１３の下側には、９月８日の０時から２３時の水及びガスの消費量の短期表示部としての時間別表示部２１２Ｂが表示され、具体的には、日別表示部２１１Ｂと同様、時間の上の右側に水消費量が水色の棒グラフで表示され、左側にガス消費量が橙色の棒グラフで表示される。
【０１２９】
そして、この用途別表示部２１３でさらに詳細な情報を知りたい場合は、設備別表示切替手段としてのアナリシス（analysis）タブ２２をクリックすると、図４に示したように、分析画面の初期状態として、電力消費量計測手段としての分電盤計測装置１２及び計測センサ１１，・・・が接続された電気設備としての電力負荷装置の電力消費量を表示させるための設備表示用ボタン２２ａ〜２２ｊがこの分析画面上側に表示される。
【０１３０】
ここで、これらの設備表示用ボタン２２ａ〜２２ｊ内には、対応する設備のリアルタイムの消費電力量が表示される。
【０１３１】
また、これらの設備表示用ボタン２２ａ〜２２ｊのさらに上側には、ダッシュボード（dashboard）タブ２１のトップ画面と同様、閲覧当日における、リアルタイムの太陽光発電装置５による発電量を表示する表示部２１ａと、リアルタイムの電気消費量を表示する表示部２１ｂと、発電量と電気消費量との差分量が表示される表示部２１ｃとを備えている。
【０１３２】
さらに、これらの表示部２１ａ〜２１ｃの右側には、ガス・水道計測装置１４が接続されたガス設備としてのガス負荷装置のガス消費量を表示させるための設備表示用ボタン２２１と、水設備としての水負荷装置の水消費量を表示させるための設備表示用ボタン２２２とが表示される。
【０１３３】
また、これらの設備表示用ボタン２２ａ〜２２ｊ及び２２１，２２２の下側には、全体の電力消費量を表示するための表示用ボタン２２０Ａと、太陽光発電装置５による発電量を表示するための表示用ボタン２２０Ｂと、空調、照明、調理、給湯、家電、その他をそれぞれ表示するための用途別表示用ボタン２２０Ｃ〜２２０Ｈが表示される。
【０１３４】
さらに、これらの表示用ボタン２２０Ａ〜２２０Ｈの下側には、表示させる期間表示単位を指定するための期間指定欄２２０ａ，２２０ｂ，２２０ｃが設けられている。
【０１３５】
ここで、期間指定欄２２０ａを指定すると、時間別表示（４８時間分）のエネルギー消費量が棒グラフで表示される。
【０１３６】
また、期間指定欄２２０ｂを指定すると、日別表示（１４日間分）のエネルギー消費量が棒グラフで表示される。
【０１３７】
さらに、期間指定欄２２０ｃを指定すると、月別表示（１４ヶ月間分）のエネルギー消費量が棒グラフで表示される。
【０１３８】
そして、その下側のグラフエリア（Graph Area）ＧＡ１，ＧＡ２，ＧＡ３，・・・において、上記した表示用ボタン２２ａ〜２２ｊ，２２１，２２２，２２０Ａ〜２２０Ｈのうち、クリックした順序で、対応するグラフが表示される。
【０１３９】
例えば、期間指定欄２２０ａを指定し、まず、全体の電力消費量を表示するための表示用ボタン２２０Ａをクリックし、次に、表示用ボタン２２ａをクリックし、次に、表示用ボタン２２ｈをクリックすると、図５に示したようなグラフがグラフエリア（Graph Area）ＧＡ１，ＧＡ２，ＧＡ３において表示される。
【０１４０】
ここで、これ以上の数の表示用ボタンをクリックしても、スクロールアイコンＳ２をスクロールさせることにより、所望の箇所まで移動させることができる。
【０１４１】
なお、初めに設定しておけば、各グラフの右側には、表示された範囲の総エネルギー消費量、料金、換算した二酸化炭素（ＣＯ２）の排出量を、それぞれ表示させることもできる。
【０１４２】
なお、図２及び図３のトップ画面に話は戻るが、月別でエネルギー消費量を参照したい場合は、月別切替ボタンＫ２をクリックすると、図示は省略したが、日別表示部２１１の部分に、１４ヶ月分の月別のエネルギー消費量が表示される。
【０１４３】
また、この月別表示において、設定によっては、電力消費量の時間別表示部２１２Ａと、電力消費量の用途別表示部２１３と、水及びガスの消費量の時間別表示部２１２Ｂとが占める部分に、指定した月のエネルギー消費量の日別表示部２１１を表示させることもできる。
【０１４４】
そして、この過去の表示位置としての日付ボタン２１１ａをクリックすると、かなり前のエネルギー消費量の表示やその他の操作表示も、上述したと同様に、容易に行うことができる。
【０１４５】
なお、図２や図３に示した状態に戻すには、日別ボタンＫ１をクリックすればよい。
【０１４６】
次に、エネルギー消費量を料金換算表示に切り替える方法、及びエネルギー消費量を二酸化炭素（ＣＯ２）排出量表示に切り替える方法について説明する。
【０１４７】
図２及び図３のトップ画面では、日別表示部２１１の左側に、使用量割合切替ボタンＫ１０と、料金割合切替ボタンＫ２０と、二酸化炭素（ＣＯ２）排出量切替ボタンＫ３０とを備えている。
【０１４８】
トップ画面の初期状態は、使用量割合切替ボタンＫ１０の位置とされており、上述したようなエネルギー消費量の管理が行える。
【０１４９】
まず、料金換算表示切替手段としての料金割合切替ボタンＫ２０をクリックすると、図６に示したように、日別表示部２１１の部分において、エネルギー消費量がエネルギーの料金に換算されて棒グラフで表示される。
【０１５０】
ここで、電力消費量の日別表示部２１１Ａでは、買電だけでなく、売電もあるので、表示はその差額となり、買電の方が多い場合は、赤色の棒グラフで表示され、売電の方が多い場合は、緑色の棒グラフで表示される。
【０１５１】
また、水及びガスの消費量の日別表示部２１１Ｂでは、消費するだけなので、グラフの単位が料金（円）にかわり、水料金とガス料金とは、消費量表示と同様に、水色と橙色の棒グラフでそれぞれ表示される。
【０１５２】
続いて、二酸化炭素排出量表示切替手段としての二酸化炭素（ＣＯ２）排出量切替ボタンＫ３０をクリックすると、図示は省略したが、日別表示部２１１の部分において、エネルギー消費量が二酸化炭素（ＣＯ２）の排出量に換算されて棒グラフで表示される。
【０１５３】
ここで、電力消費量を換算した排出量は黄色、水消費量を換算した排出量は水色、ガス消費量を換算した排出量は橙色の棒グラフでそれぞれ表示される。
【０１５４】
なお、トップ画面の初期状態に戻すには、使用量割合切替ボタンＫ１０をクリックすればよい。
【０１５５】
また、セッティング（settings）タブ２３をクリックすると、設定画面が表示され、上述したように、ターゲットラインＴＬを設定するなどの各種初期設定を行うが、詳細な説明については省略する。
【０１５６】
次に、この実施例の作用効果について説明する。
【０１５７】
このように構成された実施例の表示装置としての表示モニタ２は、建物としての住宅Ｈに関係するエネルギー消費量を監視対象として表示可能なエネルギー消費量の表示装置である。
【０１５８】
つまり、住宅Ｈ内だけでなく、その庭での水消費量、屋外コンセント、門に設置された防犯カメラの電力消費量などの住宅Ｈに付随したエネルギー消費量も含まれる。
【０１５９】
そして、エネルギー消費量を長期単位で時系列的に表示する長期表示部としての電力消費量の日別表示部２１１Ａ及び水及びガスの消費量の日別表示部２１１Ｂと、エネルギー消費量を短期単位で時系列的に表示する短期表示部としての電力消費量の時間別表示部２１２Ａ及び水及びガスの消費量の時間別表示部２１２Ｂとを備えている。
【０１６０】
そのうえで、日別表示部２１１Ａの任意の表示位置としての日付ボタン２１１ａをクリックして指定すると、その指定された日付の詳細が、日別表示部２１１Ａ，２１１Ｂと同一画面に時間別表示部２１２Ａ，２１２Ｂとして表示される構成とされている。
【０１６１】
こうした構成なので、長期表示部としての日別表示部２１１Ａ，２１１Ｂの下側に、短期表示部としての時間別表示部２１２Ａ，２１２Ｂが重ならないように表示されるため、同一画面で、エネルギー消費量が多かったり、少なかったりした表示箇所を日別表示部２１１Ａ，２１１Ｂから時間別表示部２１２Ａ，２１２Ｂへの上下の流れで、一目で簡単に特定することができる。
【０１６２】
ここで、時間別表示部２１２Ａ，２１２Ｂと同一画面に、時間別表示部２１２Ａ，２１２Ｂのエネルギー消費量の時系列的表示に合わせて、用途別のエネルギー消費量が用途別表示部２１３に表示される。
【０１６３】
このため、時間別表示部２１２Ａ，２１２Ｂの下側に、用途別表示部２１３が重ならないように表示されるため、同一画面で、特定した表示箇所からエネルギー消費量が多かったり、少なかったりした原因である用途を、上下の流れで、一目で簡単につきとめることができる。
【０１６４】
また、電力消費量の日別表示部２１１Ａには、過去の所定期間の日別のエネルギー消費量に基づいて算出された電力消費量の平均値としてのアベレージラインＡＬが表示される。
【０１６５】
このため、このアベレージラインＡＬを指標として、日別表示部２１１Ａにおいて電力を使い過ぎであるか否かを一目で判断することができる。
【０１６６】
さらに、電力消費量の日別表示部２１１Ａには、電力消費量の目標値としてのターゲットラインＴＬが表示される。
【０１６７】
このため、このターゲットラインＴＬももう一つの指標として、エネルギー消費量の目標を達成できたか否かを一目で判断することができる。
【０１６８】
また、電力消費量の時間別表示部２１２Ａには、この時間別表示部２１２Ａの時系列的表示された電力消費量の棒グラフに並列して、過去の所定期間の対応する時間別の電力消費量に基づいて算出された電力消費量の平均値の棒グラフが表示される。
【０１６９】
このため、時間別表示部２１２Ａにおいても、この平均値の棒グラフを指標として、電力を使い過ぎであるか否かを一目で判断することができる。
【０１７０】
さらに、用途別表示部２１３をさらに細分化した設備別の電力消費量、ガス消費量、又は水消費量などのエネルギー消費量が表示される設備別表示部としてのグラフエリア（Graph Area）ＧＡ１，ＧＡ２，ＧＡ３，・・・が、設備別表示切替手段としてのアナリシス（analysis）タブ２２をクリックすることにより、切り替え表示される。
【０１７１】
このため、エネルギー消費量が多かったり、少なかったりした原因を空調装置、家電製品などの設備単位でつきとめることができる。
【０１７２】
また、電気消費量の日別表示部２１１Ａ及び時間別表示部２１２Ａの棒グラフは、電力の料金単価の異なる時間帯毎で色により区分けして目視可能とされている。
【０１７３】
このため、料金単価の異なる時間帯別の色による区分けから買い取る電力を、日付単位や時間単位で、時間的にバランスよく利用しているかが分かる。
【０１７４】
さらに、用途別表示部２１３の棒グラフも、電力の料金単価の異なる時間帯毎で色により区分けして目視可能とされている。
【０１７５】
このため、料金単価の異なる時間帯別の色による区分けから買い取る電力を、用途別でも、時間的にバランスよく利用しているかが分かる。
【０１７６】
また、設備別表示部としてのグラフエリア（Graph Area）１，２，３，・・・の棒グラフも、電力消費量では、電力の料金単価の異なる時間帯毎で色により区分けして目視可能とされている。
【０１７７】
このため、料金単価の異なる時間帯別の色による区分けから買い取るエネルギーを、設備別でも、時間的にバランスよく利用しているかが分かる。
【０１７８】
さらに、エネルギー消費量が、電力消費量の日別表示部２１１Ａよりもさらに長期単位の１ヶ月分の総量の用途別の内訳が表示されるエネルギー消費量用途別内訳表示部としての円グラフから成る電力消費量用途別内訳表示部２１Ｃを備えている。
【０１７９】
このため、この電力消費量用途別内訳表示部２１Ｃにおける電力消費量の用途別の内訳から、生活パターンの大まかな傾向を知ることができ、工夫や改善の対策を図ることができる。
【０１８０】
また、電力消費量の日別表示部２１１Ａ及び時間別表示部２１２Ａに、エネルギー創出量としての太陽光発電装置５による発電量が、エネルギー消費量としての電力消費量と並列して棒グラフにより表示される。
【０１８１】
このため、この発電量から天気の推移などもおおよそ分かる。
【０１８２】
さらに、エネルギー創出量としての太陽光発電装置５による発電量が、電力消費量の日別表示部２１１Ａよりもさらに長期単位での１ヶ月分の総量の利用別の内訳が表示されるエネルギー創出量利用別内訳表示部としての円グラフから成る発電量利用別内訳表示部２１Ａを備えている。
【０１８３】
このため、この発電量利用別内訳表示部２１Ａにおける利用別の内訳から創出した発電量をバランスよく利用しているかが分かる。
【０１８４】
また、エネルギー消費量としての電力消費量が、日別表示部２１１Ａよりもさらに長期単位での１ヶ月分の総量の料金単価の時間帯別の内訳が表示されるエネルギー消費量料金単価別内訳表示部としての円グラフから成る電力消費時間帯別内訳表示部２１Ｂを備えている。
【０１８５】
このため、この電力消費時間帯別内訳表示部２１Ｂにおける料金単価時間帯別の内訳から買い取る電力を、全体で、時間的にバランスよく利用しているかが分かる。
【０１８６】
さらに、表示モニタ２により表示するエネルギー消費量は、電力消費量だけでなく、水消費量及びガス消費量も含む。
【０１８７】
このため、様々な種類のエネルギー消費量を対象とすることができ、実用性及び機能性に優れる。
【０１８８】
また、エネルギー消費量としての電力消費量、水消費量、及びガス消費量をエネルギーの料金に換算して表示する料金換算表示切替手段としての料金割合切替ボタンＫ２０を備えている。
【０１８９】
このため、エネルギー消費量は、料金で表示された方が、住宅Ｈの居住者にとって、より分かりやすいうえに、省エネルギーの意識をより高めることができる。
【０１９０】
さらに、リアルタイムのエネルギー消費量としての電力消費量の表示部２１ｂを備えている。
【０１９１】
このため、過去の電力消費量などを監視しながら、現在の電力消費量も監視することができる。
【０１９２】
また、リアルタイムのエネルギー創出量としての発電量の表示部２１ａを備えている。
【０１９３】
このため、過去の発電量などを監視しながら、現在の発電量も監視することができる。
【０１９４】
さらに、エネルギー消費量を二酸化炭素（ＣＯ２）の排出量に換算して表示する二酸化炭素排出量表示切替手段としての二酸化炭素（ＣＯ２）排出量切替ボタンＫ３０を備えている。
【０１９５】
このため、二酸化炭素（ＣＯ２）の排出量を極力抑制し、環境に配慮することができる。
【０１９６】
このような実施例のエネルギー消費量の管理システムは、上記したエネルギー消費量の表示装置としての表示モニタ２を備えた構成とされている。
【０１９７】
こうした構成なので、上記した作用効果を奏するエネルギー消費量の管理システムを構築することができる。
【０１９８】
以上、図面を参照して、本発明を実施するための形態について実施例をもとに詳述してきたが、具体的な構成は、上記した実施例に限らず、本発明の要旨を逸脱しない程度の設計的変更は、本発明に含まれる。
【０１９９】
例えば、上記した実施例では、表示装置としての表示モニタ２に、パーソナルコンピュータのディスプレイを用いて実施したが、これに限定されず、それ自体に記憶部や画像処理部が内蔵されたタッチパネル式の専用モニタなどで実施してもよい。
【０２００】
また、上記した実施例では、表示形式を、基本的に、上から下へ参照するように縦の棒グラフを表示して実施したが、これに限定されず、左から右へ参照できるように、横の棒グラフを表示して実施するなどしてもよい。
【０２０１】
要するに、本発明は、長期表示部と短期表示部とを同一画面で表示されるように実施すればよく、グラフも棒グラフに限定されず、折れ線グラフなどでもよい。
【０２０２】
また、上記した実施例では、長期表示部としての日別表示部２１１Ａ，２１１Ｂの下側に、１日分だけの短期表示部としての時間別表示部２１２Ａ，２１２Ｂを表示させて実施したが、これに限定されず、気になる複数日分の時間別表示部２１２Ａ，２１２Ｂを表示できるようにして実施してもよい。
【０２０３】
また、上記した実施例では、設備別表示部としてのグラフエリアＧＡ１，ＧＡ２，ＧＡ３，・・・を表示させるには、設備別表示切替手段としてのアナリシスタブ２２をクリックし、表示用ボタン２２ａ〜２２ｊ，２２１，２２２，２２０Ａ〜２２０Ｈをクリックする多少手間を要するものであったが、これに限定されない。
【０２０４】
例えば、用途別表示部２１３の任意の用途表示位置としての空調、照明、調理、給湯などを表示用ボタンにし、これらの表示用ボタンをクリックして指定すると、用途別表示部２１３の下側などの同一画面に、その指定された用途をさらに細分化した設備別のエネルギー消費量が多い順（問題点を有する可能性がある順）などで設備別表示部に表示されるようにしてもよい。
【０２０５】
この際、表示される画面が足りないときは、例えば、画面を上下にスクロールさせて表示できるようにすればよい。
【０２０６】
また、設定によっては、用途別表示部２１３は除いて、短期表示部としての時間別表示部２１２Ａ，２１２Ｂの下側に、時間別表示部２１２Ａ，２１２Ｂのエネルギー消費量の時系列的表示に合わせて、設備別のエネルギー消費量が設備別表示部に表示されるようにしてもよい。
【０２０７】
この際も、表示される画面が足りないときは、例えば、画面を上下にスクロールさせて表示できるようにすればよい。
【０２０８】
また、上記した実施例では、短期表示部として、時間別表示部２１２Ａ，２１２Ｂを表示させて実施したが、これに限定されず、例えば、短期表示部として、用途別表示部２１３を表示させ、時間別表示部２１２Ａ，２１２Ｂは省略するなどして実施してもよい。
【０２０９】
さらに、上記した実施例では、建物としての住宅Ｈが、エネルギー創出手段としての太陽光発電装置５を備え、電気エネルギーを創出することができるようにして実施したが、これに限定されない。
【０２１０】
例えば、住宅Ｈが蓄電池、貯湯設備、電気自動車、又はプラグインハイブリッド車などのエネルギー蓄積手段を有するときには、表示モニタ２において、長期表示部としての日別表示部２１１Ａ，２１１Ｂ及び短期表示部としての時間別表示部２１２Ａ，２１２Ｂと同一画面に、エネルギー蓄積量が表示されるようにして実施してもよい。このようにすれば、蓄積したエネルギー量が一目で確認でき、これをバランスよく利用しているかも分かる。
【０２１１】
この場合のエネルギー蓄積量の表示方法としては、例えば、上記した実施例における発電量の表示と同様にすればよい。
【０２１２】
勿論、本発明は、エネルギー創出手段やエネルギー蓄積手段を有しない場合でも、実施することができる。
【０２１３】
また、上記した実施例では、各表示部を色により区分けして表示させたが、これらの色は、セッティング（settings）タブ２３をクリックしたとき表示される設定画面上で、住宅Ｈの居住者の好みに合わせて設定することができる。
【符号の説明】
【０２１４】
２  表示モニタ（表示装置）
Ｈ  住宅（建物）
２１１  エネルギー消費量の日別表示部
２１１Ａ  電力消費量の日別表示部
２１１Ｂ  水及びガスの消費量の日別表示部
２１１ａ  日付ボタン（表示位置）
２１２Ａ  電力消費量の時間別表示部
２１２Ｂ  水及びガスの消費量の時間別表示部
２１３  用途別表示部
ＡＬ  アベレージライン（平均値）
ＴＬ  ターゲットライン（目標値）
ＧＡ１，ＧＡ２，ＧＡ３  グラフエリア（設備別表示部）
２２  アナリシスタブ（設備別表示切替手段）
２１Ａ  発電量利用別内訳表示部（エネルギー創出量利用別内訳表示部）
２１Ｂ  電力消費時間帯別内訳表示部（エネルギー消費量料金単価別内訳表示部）
２１Ｃ  電力消費量用途別内訳表示部（エネルギー消費量用途別内訳表示部）
２１ａ  リアルタイムの発電量の表示部
２１ｂ  リアルタイムの電力消費量の表示部
Ｋ２０  料金割合切替ボタン（料金換算表示切替手段）
Ｋ３０  二酸化炭素排出量切替ボタン（二酸化炭素排出量表示切替手段）
【図１】
2011180807.tif 000003
【図２】
2011180807.tif 000004
【図３】
2011180807.tif 000005
【図４】
2011180807.tif 000006
【図５】
2011180807.tif 000007
【図６】
2011180807.tif 000008